(57)【要約】  基地局装置と無線通信を実行する端末装置であって、基地局装置に、ランダムアクセスプリアンブルと端末装置の識別情報とを含む、ランダムアクセス手順を開始するための第１メッセージを送信し、基地局装置から第１メッセージに対するランダムアクセスレスポンスを含む第２メッセージを受信し、第１メッセージを送信する際に、端末装置の状態を基地局装置に通知するために、第一の条件、第二の条件、第三の条件、及び、端末装置の状態に基づいて複数のランダムアクセスプリアンブルグループの中から一のランダムアクセスプリアンブルグループを選択する。これにより、２ステップランダムアクセス手順を採用する場合においても、基地局装置と端末装置との間の無線通信における無線リソースを効率的に利用することができる。
2020157994.tif 000002
【特許請求の範囲】
【請求項１】
基地局装置と無線通信を実行する端末装置であって、
前記基地局装置に、ランダムアクセスプリアンブルと前記端末装置の識別情報とを含む、ランダムアクセス手順を開始するための第１メッセージを送信し、
前記基地局装置から前記第１メッセージに対するランダムアクセスレスポンスを含む第２メッセージを受信し、
前記第１メッセージを送信する際に、前記端末装置の状態を前記基地局装置に通知するために、第一の条件、第二の条件、第三の条件、及び、前記端末装置の状態に基づいて複数のランダムアクセスプリアンブルグループの中から一のランダムアクセスプリアンブルグループを選択する、
端末装置。
【請求項２】
前記第一の条件は、データのサイズが所定の閾値よりも大きいという条件であり、前記第二の条件は、パスロス値が所定の値よりも小さいという条件であり、前記第三の条件は、前記第１メッセージを送信後の前記データのサイズがゼロであるかという条件であり、所定のチャネルで送信される前記データが共通制御チャネルのサービスデータユニットではない場合、前記第一の条件、前記第二の条件、第三の条件、及び前記端末装置の状態に基づいて前記複数のランダムアクセスプリアンブルグループの中から一のランダムアクセスプリアンブルグループを選択する、
請求項１に記載の端末装置。
【請求項３】
前記複数のランダムアクセスプリアンブルグループは、第一のランダムアクセスプリアンブルグループ、第二のランダムアクセスプリアンブルグループ、および、第三のランダムアクセスプリアンブルグループに分類され、前記第三の条件は、前記第一の条件および前記第二の条件に優先して判断され、前記第三の条件を満たす場合、前記第三のランダムアクセスプリアンブルグループを選択し、前記第一の条件および前記第二の条件を満たす場合、前記第二のランダムアクセスプリアンブルグループを選択し、前記第一の条件および前記第二の条件を満たさない場合、前記第一のランダムアクセスプリアンブルグループを選択する、
請求項２に記載の端末装置。
【請求項４】
前記複数のランダムアクセスプリアンブルグループは、第一のランダムアクセスプリアンブルグループ、および、第二のランダムアクセスプリアンブルグループに分類され、前記第一の条件および前記第二の条件を満たす場合、前記第二のランダムアクセスプリアンブルグループを選択し、前記第一の条件および前記第二の条件を満たさない場合、前記第一のランダムアクセスプリアンブルグループを選択し、前記第三の条件を満たす場合、前記第１メッセージを送信後の前記データのサイズがゼロであることを示す情報を前記第１メッセージに含める、
請求項２に記載の端末装置。
【請求項５】
前記第１メッセージは、バッファの状況を報告するためのＢＳＲ  ＭＡＣ  ＣＥ（Buffer status report MAC CE）を含む、
請求項１に記載の端末装置。
【請求項６】
前記ＢＳＲ  ＭＡＣ  ＣＥは、物理上りリンク共有チャネルＰＵＳＣＨ（Physical Uplink Shared Channel）を用いて送信される、
請求項５に記載の端末装置。
【請求項７】
基地局装置と無線通信を実行する端末装置に用いられる無線通信方法であって、
前記基地局装置に、ランダムアクセスプリアンブルと前記端末装置の識別情報とを含む、ランダムアクセス手順を開始するための第１メッセージを送信することと、
前記基地局装置から前記第１メッセージに対するランダムアクセスレスポンスを含む第２メッセージを受信することと、
前記第１メッセージを送信する際に、前記端末装置の状態を前記基地局装置に通知するために、第一の条件、第二の条件、第三の条件、又は、前記端末装置の状態に基づいて複数のランダムアクセスプリアンブルグループの中から一のランダムアクセスプリアンブルグループを選択することと、を含む、
無線通信方法。
【請求項８】
端末装置と無線通信を実行する基地局装置であって、
前記端末装置から、ランダムアクセスプリアンブルと前記端末装置の識別情報とを含む、ランダムアクセス手順を開始するための第１メッセージを受信し、
前記端末装置からの前記第１メッセージに対するランダムアクセスレスポンスを含む第２メッセージを送信し、
複数のランダムアクセスプリアンブルグループの中から一のランダムアクセスプリアンブルグループを選択し、前記端末装置の状態を前記基地局装置に通知する前記端末装置によって用いられる第一の条件、第二の条件、及び第三の条件を示す情報を前記端末装置に送信する、
基地局装置。
【請求項９】
端末装置と無線通信を実行する基地局装置に用いられる無線通信方法であって、
前記端末装置から、ランダムアクセスプリアンブルと前記端末装置の識別情報とを含む、ランダムアクセス手順を開始するための第１メッセージを受信することと、
前記端末装置からの前記第１メッセージに対するランダムアクセスレスポンスを含む第２メッセージを送信することと、を含み、
複数のランダムアクセスプリアンブルグループの中から一のランダムアクセスプリアンブルグループを選択し、前記端末装置の状態を前記基地局装置に通知する前記端末装置によって用いられる第一の条件、第二の条件、及び第三の条件を示す情報を前記端末装置に送信する、
無線通信方法。
【発明の詳細な説明】
【技術分野】
【０００１】
本発明は、端末装置、基地局装置、及び無線通信方法に関する。
【背景技術】
【０００２】
国際標準化団体である３ＧＰＰ(Third Generation Partnership Project)において、第５世代のセルラー通信システムに向けた新しい無線アクセス技術であるＮＲ（New Radio）の検討が行われている。ＮＲは、第４世代のセルラー通信システムであるＬＴＥ(Long Term Evolution)−Ａｄｖａｎｃｅｄよりも、多種多様なサービスを実現可能とするための技術が検討されている。例えば、ＮＲでは高速・大容量通信を実現するｅＭＢＢ（enhanced Mobile Broad Band）、超高信頼・低遅延通信を実現するＵＲＬＬＣ（Ultra-Reliable and Low Latency Communication）、及びＩｏＴ（Internet of Things）デバイスの多数同時接続を実現するｍＭＴＣ（massive Machine Type Communication）といった、用途の異なる利用シナリオが実現要件として定められている。【０００３】
無線通信システムにおいて、スケジュールされていない端末装置からの初期アクセス手順としてランダムアクセス手順が用意されている。非特許文献１には、ＮＲにおけるランダムアクセス手順が定義されている。ランダムアクセス手順において、端末装置は、グループ化されたランダムアクセスプリアンブルを用いることによって基地局装置に上りリンクのデータサイズを通知することができる。すなわち、端末装置は、送信したい上りリンクデータサイズに基づいてランダムアクセスのプリアンブルグループを選択する機能を有している。非特許文献２及び非特許文献３においては、従来の４ステップランダムアクセス手順に対し、そのステップ数を削減した新たな手順（以下、「２ステップランダムアクセス手順」という。）が提案されている。
【先行技術文献】
【特許文献】
【０００４】
【非特許文献１】3GPP規格書「TS 38.321v15.4.0(2018-12)」
【非特許文献２】3GPP寄書「R2-1818504」
【非特許文献３】3GPP寄書「R2-1816685」
【発明の概要】
【発明が解決しようとする課題】
【０００５】
ここで、２ステップランダムアクセス手順は、従来の４ステップランダムアクセス手順のうち、ステップ１のランダムアクセスプリアンブル（メッセージ１）と、ステップ３の上りリンクデータ（メッセージ３）とをメッセージＡ（MSG-A）として送受信するランダムアクセス手順を含む。また、２ステップランダムアクセス手順は、従来の４ステップランダムアクセス手順のうち、ステップ２のランダムアクセスレスポンス（メッセージ２）と、ステップ４の下りリンクデータ（メッセージ４）とをメッセージＢ（MSG-B）として送受信するランダムアクセス手順を含む。また、４ステップランダムアクセス手順においては、メッセージ３で送信しようとするデータサイズと受信品質とに基づいて、ステップ１のランダムアクセスプリアンブル（メッセージ１）が属するプリアンブルグループ（ランダムアクセスプリアンブルグループ）を選択する。【０００６】
しかしながら、２ステップランダムアクセス手順においては、４ステップランダムアクセス手順においてメッセージ３で送信されていた上りリンクデータがＭＳＧ−Ａの一部として送信されてしまう。よって、２ステップランダムアクセス手順においては、ランダムアクセスプリアンブルグループを用いてメッセージ３の上りリンクデータのサイズを事前に通知することができない。したがって、ＭＳＧ−Ａの送信後もデータ送信が続く場合、基地局装置は、どの程度の上りリンクの無線リソースを端末装置に割り当てればよいかという情報を得る手段がない。このように、実際に必要な無線リソースに対し、過小あるいは過大に無線リソースを割り当ててしまう可能性があり、無線リソースの利用効率が低下するおそれがある。【０００７】
そこで、本発明は、２ステップランダムアクセス手順を採用する場合においても、基地局装置と端末装置との間の無線通信における無線リソースを効率的に利用可能な技術を提供することを目的とする。
【課題を解決するための手段】
【０００８】
本発明の一態様に係る端末装置は、基地局装置と無線通信を実行する端末装置であって、基地局装置に、ランダムアクセスプリアンブルと端末装置の識別情報とを含む、ランダムアクセス手順を開始するための第１メッセージを送信し、基地局装置から第１メッセージに対するランダムアクセスレスポンスを含む第２メッセージを受信し、第１メッセージを送信する際に、端末装置の状態を基地局装置に通知するために、第一の条件、第二の条件、第三の条件、及び端末装置の状態に基づいて複数のランダムアクセスプリアンブルグループの中から一のランダムアクセスプリアンブルグループを選択する。【０００９】
本発明の一態様に係る基地局装置は、端末装置と無線通信を実行する基地局装置であって、端末装置から、ランダムアクセスプリアンブルと端末装置の識別情報とを含む、ランダムアクセス手順を開始するための第１メッセージを受信し、端末装置からの第１メッセージに対するランダムアクセスレスポンスを含む第２メッセージを送信し、複数のランダムアクセスプリアンブルグループの中から一のランダムアクセスプリアンブルグループを選択し、端末装置の状態を基地局装置に通知する端末装置によって用いられる第一の条件、第二の条件、及び第三の条件を示す情報を端末装置に送信する。
【発明の効果】
【００１０】
本発明によれば、２ステップランダムアクセス手順において、端末装置が、基地局装置に対して、ランダムアクセス手順中に該端末装置から送信されるデータサイズを通知することができる。よって、２ステップランダムアクセス手順を採用する場合においても、基地局装置と端末装置との間の無線通信における無線リソースを効率的に利用できる。
【図面の簡単な説明】
【００１１】
【図１】図１は、本発明の第１実施形態に係る無線通信システムの構成の一例を示した概略構成図である。
【図２】図２は、本発明の第１実施形態に係る基地局装置の構成の一例を示した概略構成図である。
【図３】図３は、本発明の第１実施形態に係る端末装置の構成の一例を示した概略構成図である。
【図４】図４は、本発明の第１実施形態に係る４ステップランダムアクセス手順の一例を示す説明図である。
【図５】図５は、本発明の第１実施形態に係るランダムアクセスプリアンブルグループの一例を示す説明図である。
【図６】図６は、本発明の第１実施形態に係る２ステップランダムアクセス手順の一例を示す説明図である。
【図７】図７は、本発明の第１実施形態に係るランダムアクセスプリアンブルグループの選択手法の一例を示す説明図である。
【図８】図８は、本発明の第１実施形態に係るランダムアクセスプリアンブルグループの一例を示す図である。
【図９】図９は、本発明の第３実施形態に係るランダムアクセスプリアンブルグループの選択手法の一例を示す説明図である。
【図１０】図１０は、本発明の第３実施形態に係るＭＡＣ  ＰＤＵの構造の一例を示す図である。
【図１１】図１１は、本発明の実施形態に係るコンピュータのハードウェア構成の一例を示す図である。
【発明を実施するための形態】
【００１２】
以下、添付図面を参照しながら本発明の実施の形態について説明する。以下の実施の形態は、本発明を説明するための例示であり、本発明をその実施の形態のみに限定する趣旨ではない。また、本発明は、その要旨を逸脱しない限り、様々な変形が可能である。さらに、各図面において同一の構成要素に対しては可能な限り同一の符号を付し、重複する説明は省略する。
【００１３】
本発明の実施形態に係る無線通信システム、及び、無線ネットワークについて説明する。本発明の実施形態に係る無線通信システムは、ＮＲ（５Ｇ：Fifth Generation）を対象とするが、これに限定されない。例えば、本発明はＬＴＥやＬＴＥ−Ａｄｖａｎｃｅｄに対しても適用可能である。また、無線通信システムの一部にＮＲを用いる無線通信システムにおいても適用可能である。さらに、本発明は、少なくとも端末装置と基地局装置とを備える無線通信システムであれば適用可能であり、将来の無線通信システムにも適用可能である。なお、以降ＬＴＥとＬＴＥ−ＡｄｖａｎｃｅｄのことをＥ−ＵＴＲＡ（Evolved Universal Terrestrial Radio Access）とも呼称するが、その意味は同じである。
【００１４】
基地局装置が形成するエリア（カバーエリア）をセルと称し、Ｅ−ＵＴＲＡおよび５Ｇは、複数セルにより構築されるセルラー通信システムである。本発明に関わる無線通信システムとして、ＴＤＤ（Time Division Duplex）とＦＤＤ（Frequency Division Duplex）のどちらの方式を適用しても良く、セルごとに異なる方式が適用されてもよい。
【００１５】
図１は、本発明の第１実施形態に係る無線通信システムの構成の一例を示した概略構成図である。端末装置１は、基地局装置２、又は、基地局装置３と無線接続される。また、端末装置１は、基地局装置２及び基地局装置３と同時に無線接続してもよい。基地局装置２と基地局装置３は、Ｅ−ＵＴＲＡ、あるいは５Ｇを用いることができる。例えば、基地局装置２が５Ｇを使用し、基地局装置３がＥ−ＵＴＲＡを用いてもよいし、その逆でもよい。Ｅ−ＵＴＲＡにおける基地局装置をｅＮＢ（evolved NodeB）、ＮＲにおける基地局装置をｇＮＢ（g-NodeB）と呼ぶ。以降、基地局装置と記載した場合はｅＮＢとｇＮＢの両方の意味を含む。また、Ｅ−ＵＴＲＡ、及びＮＲにおける端末装置をＵＥ（User Equipment）と呼ぶ。ＮＲにおける基地局装置ｇＮＢは、その使用する周波数帯域の一部（BWP: Carrier bandwidth part）を用いて端末装置と接続してもよい。以降、セルと記載した場合はBWPを含むものとする。図１においては、無線通信システムは、一台の端末装置１を備えるが、端末装置１を二台以上備えてもよい。
【００１６】
端末装置１は、例えば、基地局装置２（基地局装置３）とセル単位で接続され、複数のセルを用いて接続（キャリアアグリゲーション）されてもよい。端末装置１が複数の基地局装置を介して接続される場合（デュアルコネクティビティ）、初期接続される基地局装置をマスターノード（MN: Master Node）、追加で接続される基地局装置をセカンダリノード（SN: Secondary Node）と呼ぶ。基地局装置間は、基地局インターフェースにより接続されている。また、基地局装置２（基地局装置３）とコア装置４とは、コアインターフェースにより接続されている。基地局インターフェースは、ハンドオーバーや基地局装置間の連携動作に必要な制御信号をやり取りするためなどに使用される。コア装置４は、例えば、基地局装置２（基地局装置３）を配下に持ち、基地局装置間の負荷制御や、端末装置１の呼び出し（ページング）、位置登録などの移動制御を主に取り扱う。
【００１７】
端末装置１と基地局装置２（基地局装置３）は、無線リソース制御（RRC: Radio Resource Control）層において、ＲＲＣメッセージを送受信する。また、端末装置１と基地局装置２（基地局装置３）は、媒体アクセス制御（MAC: Medium Access Control）層において、ＭＡＣ制御要素（MAC CE: MAC Control Element）を送受信する。ＲＲＣメッセージは、ＲＲＣ  ＰＤＵ（Protocol Data Unit）として送信され、マッピングされる論理チャネル（LCH: Logical Channel）として、共通制御チャネル（CCCH: Common Control Channel）、個別制御チャネル（DCCH: Dedicated Control Channel）、ページング制御チャネル（PCCH: Paging Control Channel）、ブロードキャスト制御チャネル（BCCH: Broadcast Control Channel）、又は、マルチキャスト制御チャネル（MCCH: Multicast Control Channel）が用いられる。ＭＡＣ  ＣＥは、ＭＡＣ  ＰＤＵ（又は、ＭＡＣ  ｓｕｂＰＤＵ）として送信される。ＭＡＣ  ｓｕｂＰＤＵは、ＭＡＣ層におけるサービスデータユニット（SDU: Service Data Unit）に、例えば８ビットのヘッダーを加えたものに等しく、ＭＡＣ  ＰＤＵは、一つ以上のＭＡＣ  ｓｕｂＰＤＵを含む。
【００１８】
本実施形態に関わる物理チャネルおよび物理シグナルについて説明する。本発明の実施形態に関わる物理チャネルのうち、物理報知チャネル（PBCH: Physical Broadcast Channel）、物理ランダムアクセスチャネル(PRACH: Physical Random Access Channel)、物理下りリンク制御チャネル（PDCCH: Physical Downlink Control Channel）、及び、物理上りリンク共有チャネル（PUSCH: Physical Uplink Shared Channel）について以下に説明する。なお、実施形態に係る無線通信システムにおいて、他に同期信号（Primary Synchronization Signal, Secondary Synchronization Signal）、物理上りリンク制御チャネル（PUCCH: Physical Uplink Control Channel）、物理下りリンク共有チャネル（PDSCH: Physical Downlink Shared Channel）、スケジューリング参照信号（SRS: Scheduling Reference Signal）、及び、復調参照信号（DMRS: Demodulation Reference Signal）が少なくとも存在するが、詳細な説明を略す。
【００１９】
＜物理報知チャネルＰＢＣＨ＞
物理報知チャネルＰＢＣＨは、基地局装置から端末装置に対して送信され、基地局装置の配下のセルにおける共通パラメータ（報知情報、システムインフォメーション）を通知するために使用される。システムインフォメーションは、更にマスターインフォメーションブロック（Master Information Block、MIB）とシステムインフォメーションブロック（System Information Block、SIB）に分類される。なお、システムインフォメーションブロックは、更にSIB1、SIB2、・・・のように細分化されて送信される。システムインフォメーションにはセルに接続するために必要な情報などが含まれており、例えばＭＩＢにはシステムフレーム番号やセルへのキャンプ可否を示す情報などが含まれている。また、ＳＩＢ１には、セルの品質を計算するためのパラメータ（セル選択パラメータ）、セル共通のチャネル情報（ランダムアクセス制御情報、PUCCH制御情報、PUSCH制御情報）、その他のシステムインフォメーションのスケジューリング情報などが含まれている。
【００２０】
＜物理ランダムアクセスチャネルＰＲＡＣＨ＞
物理ランダムアクセスチャネルＰＲＡＣＨは、ランダムアクセスプリアンブルを送信するために用いられる。ＰＲＡＣＨは、一般的に基地局装置との上りリンク同期が確立していない状態において使用され、送信タイミング調整情報（タイミングアドバンス）や上りリンクの無線リソース要求に用いられる。ランダムアクセスプリアンブルを送信可能な無線リソースは、報知情報を用いて端末装置に送信される。
【００２１】
＜物理下りリンク制御チャネルＰＤＣＣＨ＞
物理下りリンク制御チャネルＰＤＣＣＨは、端末装置に対し、下りリンク制御情報（DCI: Downlink Control Information）を通知するために基地局装置より送信される。下りリンク制御情報は、端末装置が使用可能な上りリンクの無線リソース情報（上りリンクグラント（UL grant））、または、下りリンクの無線リソース情報(下りリンクグラント（DL grant)）を含む。下りリンクグラントは、物理下りリンク共有チャネルＰＤＳＣＨのスケジューリングを示す情報である。上りリンクグラントは、物理上りリンク共有チャネルＰＵＳＣＨのスケジューリングを示す情報である。ＰＤＣＣＨがＰＲＡＣＨ（ランダムアクセスプリアンブル）の応答として送信される場合、ＰＤＣＣＨによって示されるＰＤＳＣＨはランダムアクセスレスポンスであり、ランダムアクセスプリアンブルのインデックス情報、送信タイミング調整情報、上りリンクグラントなどが含まれる。
【００２２】
＜物理上りリンク共有チャネルＰＵＳＣＨ＞
物理上りリンク共有チャネルＰＵＳＣＨは、上りリンクデータ（ユーザーデータ）や上りリンク制御データ（ＲＲＣメッセージ）を基地局装置に通知するため、端末装置より送信される。ＰＵＳＣＨは、下りリンクの受信品質やＡＣＫ／ＮＡＣＫなどの物理レイヤの制御信号を含めることも可能である。また、端末装置は、ランダムアクセスレスポンスに含まれる上りリンクグラントに対応したＰＵＳＣＨを送信する場合、該ＰＵＳＣＨはランダムアクセスに関連した端末装置の情報（メッセージ３）を含む。
【００２３】
図２は、本発明の第１実施形態に係る基地局装置の構成の一例を示した概略構成図である。図２に示すように、基地局装置２は、例示的に、処理部２１と、制御部２３と、受信部２５と、送信部２７と、送受信アンテナ部２９と、を備えて構成される。処理部２１は、例示的に、無線リソース処理部２１１と、ランダムアクセス処理部２１３とを備えて構成される。
【００２４】
処理部２１は、例えば、受信部２５及び送信部２７の制御を行なうために制御情報を生成し、制御部２３に出力する。処理部２１は、例えば、無線リソース制御層、パケットデータ統合プロトコル(Packet Data Convergence Protocol: PDCP)層、無線リンク制御(Radio Link Control: RLC)層、及び、媒体アクセス制御層に関する処理を実行する。
【００２５】
無線リソース処理部２１１は、例えば、物理下りリンク共有チャネルＰＤＳＣＨに配置される下りリンクデータ、ＲＲＣメッセージ、ＭＡＣ制御要素を生成し、送信部２７に出力する。また、無線リソース処理部２１１は、端末装置１の各種設定情報の管理を行う。
【００２６】
ランダムアクセス処理部２１３は、ランダムアクセスの制御処理を行なう。例えば、ランダムアクセス処理部２１３は、受信したランダムアクセスプリアンブルに対するコマンドやランダムアクセスレスポンスを生成する。
【００２７】
制御部２３は、処理部２１からの制御情報に基づいて、受信部２５及び送信部２７の制御を行なう制御信号を生成する。
【００２８】
受信部２５は、制御部２３から入力された制御信号に基づいて、送受信アンテナ部２９を介して端末装置１から受信した各種信号を分離、復調、及び復号する。受信部２５は、復号した情報を処理部２１に出力する。受信部２５は、例えば、受信した上りリンクの信号から上りリンクのチャネルの状態を測定し、測定した結果を処理部２１に出力してもよい。
【００２９】
送信部２７は、制御部２３から入力された制御信号に基づいて、例えば、下りリンク参照信号を生成する。送信部２７は、処理部２１から入力された各種情報を符号化、変調、及び多重化等することによって、送受信アンテナ部２９を介して端末装置１に信号を送信する。
【００３０】
図３は、本発明の第１実施形態に係る端末装置の構成の一例を示した概略構成図である。図３に示すように、端末装置１は、例示的に、処理部１１と、制御部１３と、受信部１５と、送信部１７と、送受信アンテナ部１９と、を備えて構成される。処理部１１は、例示的に、無線リソース処理部１１１と、ランダムアクセス処理部１１３とを備えて構成される。
【００３１】
処理部１１は、例えば、受信部１５及び送信部１７の制御を行なうために制御情報を生成し、制御部１３に出力する。処理部１１は、例えば、無線リソース制御層、パケットデータ統合プロトコル層、無線リンク制御層、及び、媒体アクセス制御層に関する処理を実行する。
【００３２】
無線リソース処理部１１１は、端末装置１の各種設定情報の管理を行なう。例えば、無線リソース処理部１１１は、物理上りリンクの各チャネルに配置される情報を生成し、当該情報を送信部１７に出力する。
【００３３】
ランダムアクセス処理部１１３は、ランダムアクセスの制御処理を行なう。例えば、ランダムアクセス処理部１１３は、無線リソース処理部１１１からの指示、あるいは基地局装置２又は基地局装置３から受信したランダムアクセス手順の開始指示に基づいて、ランダムアクセス手順を開始する。
【００３４】
制御部１３は、処理部１１からの制御情報に基づいて、受信部１５及び送信部１７を制御するための制御信号を生成する。
【００３５】
受信部１５は、制御部１３からの制御信号に基づいて、送受信アンテナ部１９を介して基地局装置２又は基地局装置３から受信した各種情報を、分離、復調、及び復号する。受信部１５は、復号した情報を処理部１１に転送する。
【００３６】
送信部１７は、制御部１３からの制御信号に基づいて、物理上りリンク信号を生成し、処理部１１から入力された物理上りリンク信号または物理上りリンクチャネルを符号化及び変調等する。送信部１７は、各種信号を多重し、送受信アンテナ部１９を介して基地局装置２又は基地局装置３の少なくとも一方に送信する。
【００３７】
＜ランダムアクセス手順＞
ランダムアクセス手順には、端末装置間で衝突の可能性があるコンテンションベースのランダムアクセス（CB−RA: Contention-based Random Access）と、衝突を回避可能なノンコンテンションベースのランダムアクセス（NC−RA: Non Contention-based Random Access）とがある。ＣＢ−ＲＡは、異なる端末装置が同じランダムアクセスプリアンブルを選択した場合に発生しうる。一方、ＮＣ−ＲＡは、基地局装置が、端末装置が使用するランダムアクセスプリアンブルを事前に指定することによって、衝突が発生しないランダムアクセス手順である。ＮＣ−ＲＡは、ハンドオーバー手順などを行う際に使用される。
【００３８】
図４を参照して、４ステップランダムアクセス手順について説明する。図４は、本発明の実施形態に係る４ステップランダムアクセス手順の一例を示す説明図である。図４において、ＵＥは端末装置１を示し、ｇＮＢは基地局装置２（３）を示している。端末装置は、ランダムアクセスプリアンブル（Random Access Preamble）をメッセージ１（MSG1）で送信する。ランダムアクセスプリアンブルを検出した基地局装置は、ランダムアクセスレスポンス（RAR: Random Access Response）をメッセージ２（MSG2）で送信する。ランダムアクセスレスポンスには、検出したランダムアクセスプリアンブルのインデックス情報と、次の送信（メッセージ３、MSG3）に必要となる送信タイミング調整情報と上りリンクグラントが含まれている。端末装置は、ランダムアクセスレスポンスで通知されたランダムアクセスプリアンブルのインデックス情報が、自端末装置が選択したランダムアクセスプリアンブルと一致した場合、送信タイミング調整情報に基づいて上りリンクの送信タイミングを調整し、上りリンクグラントに基づいてメッセージ３（Scheduled Transmission）を送信する。端末装置は、自端末装置を確定するための端末装置識別子（UE-ID）をメッセージ３に含める。基地局装置は、相手先の端末装置を特定するため、メッセージ３で送信されたＵＥ−ＩＤに対応する衝突解決識別子（Contention Resolution ID）をメッセージ４（MSG4）で送信し、以後のリソースの衝突を解決する。メッセージ４は衝突解決メッセージ（Contention Resolution）とも称される。
【００３９】
図５は、本発明の実施形態に係るランダムアクセスプリアンブルグループの一例を示す説明図である。ＭＳＧ１で送信されるランダムアクセスプリアンブルは、端末装置によって選択される。ランダムアクセスプリアンブルは、基地局装置によってランダムアクセスプリアンブルグループＡ／Ｂに分類されてもよい。以降、ランダムアクセスプリアンブルグループＡ／Ｂのことを、グループＡ／Ｂと略す。グループＢは、送信するデータサイズと測定品質（パスロス）とに基づいて選択されるランダムアクセスプリアンブルの一群を示す。グループＢの設定の有無に関わらず、グループＡは常に存在する。
【００４０】
ここで、ランダムアクセス手順の一例である手順Ｘを説明する。端末装置における手順Ｘの一例は、メッセージ３（ＭＳＧ３）が送信されておらず、かつ、グループＢが基地局装置から設定されている場合を前提とする。端末装置は、（１）ＭＳＧ３で送信されるデータのサイズがＭＳＧ３サイズしきい値よりも大きく、かつ、パスロス値が定義された計算式の結果の値よりも小さい場合、グループＢを選択する。又は、端末装置は、（２）ランダムアクセス手順がＣＣＣＨを用いるＲＲＣメッセージを送信するために開始された場合であって、そのＣＣＣＨ  ＳＤＵのサイズ（ＣＣＣＨ  ＳＤＵのサイズとヘッダーの合計）がＭＳＧ３サイズしきい値よりも大きいとき、グループＢを選択する。
【００４１】
他方で、上記以外の場合、端末装置は、グループＡを選択する。なお、グループＢが設定されていない場合、端末装置はグループＡを選択する。
＜手順Ｘ＞
2020157994.tif 000003
【００４２】
ＭＳＧ３サイズしきい値はra-Msg3SizeGroupAである。定義された計算式はPCMAX − preambleReceivedTargetPower − msg3-DeltaPreamble − messagePowerOffsetGroupBである。計算式に使用するこれらのパラメータは、基地局装置から端末装置に対して、報知情報、又は、ＲＲＣメッセージを用いて事前に通知されている。
【００４３】
ＮＲでは、ＣＣＣＨを用いる上りリンクのＲＲＣメッセージとして、RRCSetupRequestメッセージ、RRCReestablishmentRequestメッセージ、RRCResumeRequestメッセージ、及び、RRCSystemInfoRequestメッセージが定義されている。
【００４４】
図６を参照して、本発明の実施形態に係る２ステップランダムアクセス手順の一例について説明する。図６は、本発明の実施形態に係る２ステップランダムアクセス手順の一例を示す説明図である。図６に示すように、端末装置は、ステップ１でメッセージＡ（MSG-A）を送信する。また、端末装置は、ステップ２でメッセージＢ（MSG-B）を受信する。ＭＳＧ−Ａは、図４に示す４ステップランダムアクセス手順におけるメッセージ１（ランダムアクセスプリアンブル）と、メッセージ３によって送信される情報（例えば、UE-ID（端末装置の識別情報））とを含む。ＭＳＧ−Ｂは、図４に示す４ステップランダムアクセス手順におけるメッセージ２（ランダムアクセスレスポンス）で送信される情報（例えば、タイミング調整情報）と、メッセージ４によって送信される情報（例えば、衝突解決識別子）とを含む。
【００４５】
（実施の形態１）
実施の形態１における端末装置は、２ステップランダムアクセス手順において、ランダムアクセスプリアンブルグループを選択する際に、メッセージ３のデータサイズではなく、ＭＳＧ−Ａの送信後に端末装置で保持しているデータバッファ量に基づいて選択するように構成される。すなわち、実施の形態１の端末装置は、送信するデータがＣＣＣＨ  ＳＤＵではない場合、（データバッファ量）−（ＭＳＧ−Ａで送信可能なデータ量）としきい値を比較してランダムアクセスプリアンブルグループを選択し、当該ランダムアクセスプリアンブルグループよりランダムアクセスプリアンブルを選択する。なお、送信するデータがＣＣＣＨ  ＳＤＵ（ＲＲＣメッセージ）の場合、基地局装置は、ＲＲＣ手順を完了するために必要な上りリンクリソースサイズを推測できるため、データ量の計算方法は従来から変更しないでもよいが、上述した方法に従って選択されてもよい。
【００４６】
図７は、本発明の実施形態に係るランダムアクセスプリアンブルグループの選択手法の一例を示す説明図である。端末装置は、２ステップランダムアクセス手順を起動した場合、保持している未送信のデータバッファ量（例えば、ＭＳＧ−Ａ送信後のデータバッファ量、ヘッダー情報、及び、ＭＡＣ  ＣＥを含む）と、ＭＳＧ−Ａで送信可能なデータ量、及び、パスロス値を計算する。例えば、条件Ａ１：（Ｄａｔａ  ｓｉｚｅ（Ｘ）＝（データバッファ量）−（ＭＳＧ−Ａで送信可能なデータ量））がしきい値（Ｓｉｚｅ＿ｇＡ）以上の場合と、条件Ａ２：パスロス値（ＴＨ＿ｐｌ）が所定の計算結果（Ｐａｔｈｌｏｓｓ（Ｙ））より小さい場合の両条件を満たす場合、端末装置は、グループＢを選択する。
【００４７】
また、端末装置は、例えば、条件Ａ１：（Ｄａｔａ  ｓｉｚｅ（Ｘ）＝（データバッファ量）−（ＭＳＧ−Ａで送信可能なデータ量））がしきい値（Ｓｉｚｅ＿ｇＡ）より小さい場合、又は、条件Ａ２：パスロス値（ＴＨ＿ｐｌ）が所定の計算結果（Ｐａｔｈｌｏｓｓ（Ｙ））以上の場合は、グループＡを選択する。なお、上記各条件における「以上」を「より大きい」と置き換えてもよく、「より小さい」を「以下」と置き換えてもよい。さらに、パスロスではなく、ＲＳＲＰ(Reference Signal Received Power)、RSRQ(Reference Signal Received Quality)、その他の測定値を用いてもよい。
【００４８】
「ＭＳＧ−Ａで送信可能なデータ量」は、報知情報又はＲＲＣメッセージを用いて事前に端末装置に通知されてもよい。「ＭＳＧ−Ａで送信可能なデータ量」は、具体的なビット数で指定されてもよいし、物理レイヤで送信可能なＴＢＳ（Transport Block Size）として指定されてもよい。または、複数のビット数が候補として設定され、パスロス又はその他の測定値に基づいて、その一つを端末装置が選択してもよい。
【００４９】
ＭＳＧ−ＡはランダムアクセスプリアンブルとＰＵＳＣＨの組み合わせであってもよい。すなわち、ＭＳＧ−Ａを構成するＰＵＳＣＨによって、従来のメッセージ３に含まれる情報を送信してもよい。該ＰＵＳＣＨは、ランダムアクセスプリアンブルを送信するリソースと別のリソースであってもよい。
【００５０】
ＭＳＧ−Ａの送信以後もデータ送信が続く場合、端末装置は、未送信のデータバッファ量がしきい値よりも「多い」か「少ない」かについての情報を、少なくとも二つのランダムアクセスプリアンブルグループがあれば、各グループに属するランダムアクセスプリアンブルを用いて通知可能である。一方、ＭＳＧ−Ａで全てのデータを送信完了した場合、基地局装置は、少なくともＭＳＧ−Ｂで上りリンクグラントを通知する必要はない。そこで、実施の形態１の基地局装置は、端末装置に対し、未送信のデータバッファ量が「ゼロ」を示すグループＣを設定するように構成されてもよい。グループＣは、データ送信完了、あるいは上りリンクリソースの割当不要を意味してもよい。
【００５１】
グループＣを割り当てるために必要な情報は、ランダムアクセス制御情報の一部として、報知情報、又は、ＲＲＣメッセージを用いて送信される。すなわち、該端末装置は、未送信のデータバッファ量がしきい値よりも「多い」か「少ない」か、又は「ゼロ」であるかについて、各グループに属するランダムアクセスプリアンブルを用いて基地局装置に通知可能である。また、該基地局装置は、端末装置における未送信のデータバッファ量がしきい値よりも「多い」か「少ない」か、又は「ゼロ」であるかについて、ランダムアクセスプリアンブルを検出することによって判断可能である。
【００５２】
図８は、本発明の実施形態に係るランダムアクセスプリアンブルグループの一例を示す概念図である。図８（Ａ）は、送信するデータがＣＣＣＨ  ＳＤＵの場合のランダムアクセスプリアンブルグループの一例を示す概念図である。図８（Ｂ）は、送信するデータがＣＣＣＨ  ＳＤＵ以外のデータの場合のランダムアクセスプリアンブルグループの一例を示す概念図である。図８（Ａ）に示すように、端末装置は、ＣＣＣＨ  ＳＤＵの場合はnumberOfRA-PreamblesGroupCを適用しないでもよい。基地局装置は、グループＣを設定する場合、グループＢに属するプリアンブル数を変更するために、異なる値のnumberOfRA-PreamblesGroupAを設定してもよい。
【００５３】
図８（Ｂ）に示すように、グループＡとグループＢの境界を示すパラメータであるnumberOfRA-PreamblesGroupAに加え、グループＡとグループＣの境界を示すnumberOfRA-PreamblesGroupCが設定される。numberOfRA-PreamblesGroupCはプリアンブルのインデックス番号でもよいし、グループに属するプリアンブル数でもよい。あるいは、グループＣがグループＢに隣接する場合、numberOfRA-PreamblesGroupCはグループＢとグループＣの境界を示してもよい。
【００５４】
また、基地局装置は、ＭＳＧ−Ｂとして、ランダムアクセスレスポンスとメッセージ４とを一つのＰＤＳＣＨとして送信してもよい。基地局装置は、ランダムアクセスレスポンスとメッセージ４とを送信するＰＤＳＣＨを別の無線リソースとして送信してもよい。すなわち、基地局装置は、ランダムアクセスレスポンスとメッセージ４とを別のＰＤＳＣＨで送信してもよい。このとき、ランダムアクセスレスポンスとメッセージ４とは、同一サブフレームで送信してもよいし、別サブフレームで送信されてもよい。
【００５５】
グループＣに属するランダムアクセスプリアンブルを検出した基地局装置は、ＭＳＧ−Ｂとして送信されるランダムアクセスレスポンス、又は、メッセージ４において、上りリンクグラントを含めなくてよい。基地局装置は、上りリンクグラントを含めない場合は新規のＭＡＣ  ｓｕｂＰＤＵフォーマットを使用してもよく、その場合、新規のＭＡＣ  ｓｕｂＰＤＵフォーマットを示すＬＣＩＤ（Logical Channel ID）を対応するＭＡＣ  ｓｕｂＰＤＵのヘッダーに設定する。または、基地局装置は、上りリンクグラントとして所定のビットパターンを設定することによって、上りリンクグラントが無効であること（例えば、上りリンクリソース割り当てなし）を示してもよい。所定のビットパターンとは、例えば、全て「０」又は「１」である。
【００５６】
また、基地局装置は、上りリンクグラントの内容が無効であること、又は、上りリンクグラントの指示に従わないでよいことを示す情報ビットを設定してもよい。該情報ビットは、ＭＡＣ  ｓｕｂＰＤＵのヘッダーの予約ビットを利用してもよい。この場合、予約ビットを「１」に設定してもよい。
【００５７】
また、グループＣに属するランダムアクセスプリアンブルを送信した端末装置は、対応するＭＳＧ−Ｂ（すなわち、対応するランダムアクセスレスポンス、および／又は、メッセージ４）を受信した場合、該ランダムアクセスレスポンス、又は、該メッセージ４に含まれる上りリンクグラントを無視、又は、無効と判断してもよい。
【００５８】
実施の形態１に係るランダムアクセス手順Ａの一例を以下に示す。例えば、メッセージＡ（ＭＳＧ−Ａ）が送信されておらず、かつ、グループＣが基地局装置から設定されている場合、（１）ＭＳＧ−Ａの送信後に未送信となるデータがないとき、端末装置は、グループＣを選択する。
【００５９】
以下の手順Ａに示すように、本手順の別の一例は、メッセージＡ（ＭＳＧ−Ａ）が送信されておらず、かつ、グループＣが基地局装置から設定されておらず、グループＢが基地局装置から設定されている場合を前提とする。端末装置は、（２）ＭＳＧ−Ａの送信後に未送信となるデータのサイズがＭＳＧ３サイズしきい値よりも大きく、かつ、パスロス値が定義された計算式の結果の値よりも小さい場合は、グループＢを選択する。又は、（３）ランダムアクセス手順がＣＣＣＨを用いるＲＲＣメッセージ送信するために開始された場合であって、ＭＳＧ−Ａの送信後のＣＣＣＨ ＳＤＵのサイズ（残りのＣＣＣＨ ＳＤＵのサイズとヘッダーの合計）がＭＳＧ３サイズしきい値よりも大きい場合は、グループＢを選択する。
【００６０】
以下の手順Ａに示すように、上記以外の場合、端末装置は、グループＡを選択する。なお、グループＢおよびグループＣがどちらも設定されていない場合、端末装置はグループＡを選択する。
＜実施の形態１に係る手順Ａの一例＞
2020157994.tif 000004
【００６１】
実施の形態１によれば、２ステップランダムアクセス手順において、端末装置が、基地局装置に対して、ランダムアクセス手順中に該端末装置から送信されるデータサイズを通知することができる。よって、２ステップランダムアクセス手順を採用する場合においても、基地局装置と端末装置との間の無線通信における無線リソースを効率的に利用できる。
【００６２】
以下の実施の形態２において、実施の形態１と同様の構成が適用されるものについては記載を略し、実施の形態１と異なる点について特に説明する。
【００６３】
（実施の形態２）
実施の形態２における端末装置は、ＭＳＧ−Ａで送信可能なデータ量を考慮した計算式（しきい値）を用いてランダムアクセスプリアンブルグループを選択するように構成される。すなわち、実施の形態２の端末装置は、送信するデータがＣＣＣＨ  ＳＤＵではない場合、データバッファ量（ＭＳＧ−Ａで送信可能なデータ量とＭＳＧ−Ａ送信後の未送信データバッファ量の合計）としきい値を比較してランダムアクセスプリアンブルを選択する。なお、送信するデータがＣＣＣＨ  ＳＤＵ（ＲＲＣメッセージ）の場合、基地局装置は、ＲＲＣ手順を完了するために必要な上りリンクリソースサイズが推測できるため、データ量の計算方法は従来から変更しないでもよいが、上述した方法に従って選択されてもよい。
【００６４】
より具体的には、端末装置は、２ステップランダムアクセス手順を起動した場合、保持している未送信のデータバッファ量、及び、パスロス値を計算する。そして、条件Ｂ１：データバッファ量がしきい値以上の場合と、条件Ｂ２：パスロス値が所定の計算結果より小さい場合の両条件を満たす場合はグループＢを選択し、それ以外の場合はグループＡを選択する。
【００６５】
基地局装置は、条件Ｂ１にて使用されるしきい値として、２ステップランダムアクセス手順専用のしきい値を設定してもよい。また、端末装置は、２ステップランダムアクセス手順を起動した場合、従来のしきい値に所定のオフセット値を加えたものを調整後しきい値として使用してもよい。所定の値とは、固定値（例えば５６ビット）でもあってもよいし、基地局装置により指定される値であってもよい。
【００６６】
実施の形態２に係るランダムアクセス手順Ｂの一例を以下に示す。本手順の一例においては、メッセージＡ（ＭＳＧ−Ａ）が送信されておらず、かつ、グループＢが基地局装置から設定されている場合を前提とする。例えば、端末装置は、（１）未送信となるデータのサイズ（例えば、ＭＳＧ−Ａの送信サイズ、ＭＳＧ−Ａ送信後のデータバッファ量、ヘッダーサイズ、及びＭＡＣ  ＣＥの合計）がＭＳＧ３サイズしきい値よりも大きく、かつ、パスロス値が定義された計算式の結果の値よりも小さい場合、グループＢを選択する。又は、端末装置は、（２）ランダムアクセス手順がＣＣＣＨを用いるＲＲＣメッセージ送信するために開始された場合であって、ＣＣＣＨ  ＳＤＵのサイズ（例えば、ＭＳＧ−Ａで送信可能なＣＣＣＨ  ＳＤＵと、残りのＣＣＣＨ  ＳＤＵのサイズとヘッダーの合計）がＭＳＧ３サイズしきい値よりも大きい場合、グループＢを選択する。
【００６７】
以下の手順Ｂに示すように、端末装置は、上記以外の場合、グループＡを選択する。なお、グループＢが設定されていない場合、端末装置はグループＡを選択する。
＜実施の形態２に係る手順Ｂの一例＞
2020157994.tif 000005
【００６８】
さらに、端末装置は、ＭＡＣヘッダー（ＭＡＣ  ｓｕｂＰＤＵ）の予約ビットを利用して、ＭＳＧ−Ａ送信後の上りリンクデータ（あるいはＣＣＣＨ  ＳＤＵ）の有無を通知するように構成されてもよい。すなわち、Ｒ／Ｆ／ＬＣＩＤ／Ｌというヘッダー構成のうち、予約ビット“Ｒ”が「０」であれば、未送信のデータ有りを示し、「１」であれば未送信のデータなしを示してもよい。すなわち、予約ビット“Ｒ”が「１」であれば、未送信のデータバッファ量が「ゼロ」であることを意味する。なお、ビットの示す意味が逆でもよい。
【００６９】
さらに、端末装置は、新規のＭＡＣ  ＣＥを用いて、ＭＳＧ−Ａ送信後の上りリンクデータ（あるいはＣＣＣＨ  ＳＤＵ）の有無を通知するように構成されてもよい。
【００７０】
実施の形態２によれば、実施の形態１の効果に加えて、２ステップランダムアクセス手順においても、４ステップランダムアクセス手順におけるメッセージ３（ＭＳＧ３）のしきい値パラメータを用いることができる。
【００７１】
（実施の形態３）
実施の形態３の端末装置は、ＭＡＣ制御要素の一つであるバッファ状況報告ＭＡＣ  ＣＥ（BSR MAC CE: Buffer status report MAC CE）をＭＳＧ−Ａを用いて送信する。
【００７２】
図９は、本発明の第３実施形態に係るランダムアクセスプリアンブルグループの選択手法の一例を示す説明図である。端末装置は、２ステップランダムアクセス手順を起動した場合、保持している未送信のデータバッファ量、及び、パスロス値を計算する。図９に示すように、条件Ｃ１：パスロス値が所定の計算結果より小さい場合、グループＢを選択する。また、端末装置は、パスロス値が所定の計算結果以上の場合、グループＡを選択する。本実施形態において、データバッファ量はＢＳＲ  ＭＡＣ  ＣＥを用いて詳細な報告が可能である。そのため、上述したＭＳＧ３サイズしきい値との比較による条件を省いてもよいが、省かずに条件に加えても良い。端末装置は、ＭＳＧ−ＡをランダムアクセスプリアンブルとＰＵＳＣＨの組み合わせとして送信する場合、ＰＵＳＣＨを用いてＢＳＲ  ＭＡＣ  ＣＥを送信してもよい。該ＰＵＳＣＨは、ランダムアクセスプリアンブルを送信するリソースと別のリソースであってもよい。ＢＳＲ  ＭＡＣ  ＣＥは、従来のＭＡＣ  ＣＥを利用してもよいし、２ステップランダムアスセス専用のＢＳＲ  ＭＡＣ  ＣＥを用いてもよい。なお、基地局装置は、ＲＲＣ手順を完了するために必要な上りリンクリソースサイズが推測できるため、端末装置は、送信するデータがＣＣＣＨ  ＳＤＵ（ＲＲＣメッセージ）の場合、ＢＳＲ  ＭＡＣ  ＣＥを送信しないでもよいが、詳細なバッフ量を通知するためにＢＳＲ  ＭＡＣ  ＣＥを送信してもよい。
【００７３】
実施の形態３は、実施の形態１で示したグループＣと組み合わせることも可能である。このとき、端末装置は、グループＣが設定されており、かつ、所定の条件に基づいてグループＣが選択された場合、ＢＳＲ  ＭＡＣ  ＣＥを送信しなくてもよい。具体的には、端末装置は、グループＡ及びグループＢを選択した場合（図９のCase1-4を参照）はＢＳＲ  ＭＡＣ  ＣＥを送信し、それ以外（グループＣを選択）の場合はＢＳＲ  ＭＡＣ  ＣＥを送信しなくてもよい（図９のCase5を参照）。
【００７４】
また、グループＣが設定されていない場合（あるいは存在しない場合）で、かつ、未送信のデータバッファ量がゼロの場合、端末装置は、ＢＳＲ＝０と設定してＢＳＲ  ＭＡＣ  ＣＥを送信しても良い。あるいは、ＢＳＲ  ＭＡＣ  ＣＥを含めないことでＢＳＲ＝０であることを暗黙的に示しても良い。
【００７５】
図１０は、本発明の第３実施形態に係るＢＳＲ  ＭＡＣ  ＣＥを含むＭＡＣ  ＰＤＵの構造の一例を示す図である。図１０に示すように、ＢＳＲ  ＭＡＣ  ＣＥは、ＭＡＣ  ＣＥ用のＭＡＣ  ｓｕｂＰＤＵヘッダー（Ｒ／Ｒ／ＬＣＩＤ）と共にＭＡＣ  ｓｕｂＰＤＵ（第一のＭＡＣ  ｓｕｂＰＤＵ）を形成し、ＭＡＣ  ＰＤＵの先頭位置に配置される。ＭＳＧ−Ａにて送信するデータ（UL data）は、通常のＭＡＣ  ｓｕｂＰＤＵヘッダー（Ｒ／Ｆ／ＬＣＩＤ／Ｌ）と共に別のＭＡＣ  ｓｕｂＰＤＵ（第二のＭＡＣ  ｓｕｂＰＤＵ）を形成し、第一のＭＡＣ  ｓｕｂＰＤＵ以降に配置される。
【００７６】
実施の形態３によれば、端末装置は、バッファ状況報告ＭＡＣ  ＣＥをＭＳＧ−Ａを用いて送信する。よって、端末装置が送信するデータのサイズの通知手法の選択の幅を増加させることができる。
【００７７】
図１１は、本発明の実施形態に係るコンピュータのハードウェア構成の一例を示す図である。図１１を参照して、図１に示す端末装置１、基地局装置２、基地局装置３、若しくはコア装置４として、又は、端末装置１、基地局装置２、基地局装置３、若しくはコア装置４を構成するのに用いることができるコンピュータのハードウェア構成の一例について説明する。
【００７８】
図１１に示すように、コンピュータ４０は、ハードウェア資源として、主に、プロセッサ４１と、主記録装置４２と、補助記録装置４３と、入出力インターフェース４４と、通信インターフェース４５とを備えており、これらはアドレスバス、データバス、コントロールバス等を含むバスライン４６を介して相互に接続されている。なお、バスライン４６と各ハードウェア資源との間には適宜インターフェース回路（図示せず）が介在している場合もある。
【００７９】
プロセッサ４１は、コンピュータ全体の制御を行う。主記憶装置４２は、プロセッサ４１に対して作業領域を提供し、ＳＲＡＭ（Ｓｔａｔｉｃ  Ｒａｎｄｏｍ  Ａｃｃｅｓｓ  Ｍｅｍｏｒｙ）やＤＲＡＭ（Ｄｙｎａｍｉｃ  Ｒａｎｄｏｍ  Ａｃｃｅｓｓ  Ｍｅｍｏｒｙ）等の揮発性メモリである。補助記憶装置４３は、ソフトウェアであるプログラム等やデータ等を格納する、ＨＤＤやＳＳＤ、フラッシュメモリ等の不揮発性メモリである。当該プログラムやデータ等は、任意の時点で補助記録装置４３からバスライン４６を介して主記録装置４２へとロードされる。
【００８０】
入出力インターフェース４４は、情報を提示すること及び情報の入力を受けることの一方又は双方を行うものであり、例えば、デジタル・カメラ、キーボード、マウス、ディスプレイ、タッチパネル・ディスプレイ、マイク、スピーカ、温度センサ等である。通信インターフェース４５は、不図示のネットワークと接続されるものであり、ネットワークを介してデータを送受する。通信インターフェース４５とネットワークとは、有線又は無線で接続されうる。通信インターフェース４５は、ネットワークに係る情報、例えば、アクセスポイントに係る情報、通信キャリアの基地局装置に関する情報等も取得することがある。
【００８１】
上に例示したハードウェア資源とソフトウェアとの協働により、コンピュータ４０は、所望の手段として機能し、所望のステップを実行し、所望の機能を実現させることできることは、当業者には明らかである。
【００８２】
上記各実施形態は、本発明の理解を容易にするためのものであり、本発明を限定して解釈するものではない。本発明はその趣旨を逸脱することなく、変更／改良され得るとともに、本発明にはその等価物も含まれる。
【００８３】
例えば、データのサイズが所定の閾値よりも大きいという第一の条件、パスロス値が所定の値よりも小さいという第二の条件、又は、第１メッセージを送信後のデータのサイズがゼロであるかという第三の条件の少なくとも一つの条件は、基地局装置から端末装置に提供されてもよいし、端末装置の記録部において予め記録されていてもよい。
【産業上の利用可能性】
【００８４】
本発明の一態様により、２ステップランダムアクセス手順を採用する場合においても、基地局装置と端末装置との間の無線通信における無線リソースを効率的に利用可能な端末装置、基地局装置、及び無線通信方法を提供することができる。
【符号の説明】
【００８５】
１…端末装置、２…基地局装置、３…基地局装置、４…コア装置、１１，２１…処理部、１３，２３…制御部、１５，２５…受信部、１７，２７…送信部、１９，２９…送受信アンテナ部、４０…コンピュータ、４１…プロセッサ、４２…主記録装置、４３…補助記録装置、４４…入出力インターフェース、４５…通信インターフェース、４６…バスライン、１１１，２１１…無線リソース処理部、１１３，２１３…ランダムアクセス処理部、
【図１】
2020157994.tif 000006
【図２】
2020157994.tif 000007
【図３】
2020157994.tif 000008
【図４】
2020157994.tif 000009
【図５】
2020157994.tif 000010
【図６】
2020157994.tif 000011
【図７】
2020157994.tif 000012
【図８】
2020157994.tif 000013
【図９】
2020157994.tif 000014
【図１０】
2020157994.tif 000015
【図１１】
2020157994.tif 000016
【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
基地局装置と無線通信を実行する端末装置であって、
前記基地局装置に、ランダムアクセスプリアンブルを含む、ランダムアクセス手順を開始するための第１メッセージを送信し、
前記基地局装置から前記第１メッセージに対するランダムアクセスレスポンスを含む第２メッセージを受信し、
前記第１メッセージを送信する際に、第一のデータのサイズが所定値よりも大きいという第一の条件、および、パスロス値が所定値よりも小さいという第二の条件の少なくとも一つの条件に基づいて複数のランダムアクセスプリアンブルグループの中から一のランダムアクセスプリアンブルグループを選択し、
前記第一の条件、および、前記第二の条件を満たす場合、第一のランダムアクセスプリアンブルグループを選択し、
前記第一の条件、または、前記第二の条件を満たさない場合、第二のランダムアクセスプリアンブルグループを選択し、
第二のデータのサイズがゼロであるという第三の条件を満たす場合、前記第１メッセージは、当該第二のデータのサイズがゼロであることを示す情報を含む、
端末装置。
【請求項２】
所定のチャネルで送信される前記データが共通制御チャネルのサービスデータユニットではない場合、前記第一の条件、および、前記第二の条件の少なくとも一つの条件に基づいて前記複数のランダムアクセスプリアンブルグループの中から一のランダムアクセスプリアンブルグループを選択する、
請求項１に記載の端末装置。
【請求項３】
前記複数のランダムアクセスプリアンブルグループは、前記第一のランダムアクセスプリアンブルグループ、前記第二のランダムアクセスプリアンブルグループ、および、第三のランダムアクセスプリアンブルグループに分類され、前記第三の条件は、前記第一の条件および前記第二の条件に優先して判断され、前記第三の条件を満たす場合、前記第三のランダムアクセスプリアンブルグループを選択し、前記第一の条件および前記第二の条件を満たす場合、前記第一のランダムアクセスプリアンブルグループを選択し、前記第一の条件または前記第二の条件を満たさない場合、前記第二のランダムアクセスプリアンブルグループを選択する、
請求項２に記載の端末装置。
【請求項４】
前記第１メッセージは、バッファの状況を報告するためのＢＳＲ  ＭＡＣ  ＣＥ（Buffer status report MAC CE）を含む、
請求項１に記載の端末装置。
【請求項５】
前記ＢＳＲ  ＭＡＣ  ＣＥは、物理上りリンク共有チャネルＰＵＳＣＨ（Physical Uplink Shared Channel）を用いて送信される、
請求項４に記載の端末装置。
【請求項６】
前記第２メッセージは、送信タイミング情報と上りリンクグラントとを含む、
請求項５に記載の端末装置。
【請求項７】
前記端末装置は、前記第一のデータのサイズに関する情報を、ＲＲＣメッセージを介して前記基地局装置から受信する、
請求項６に記載の端末装置。
【請求項８】
前記パスロス値の前記所定値は、前記ランダムアクセス手順が２ステップランダムアクセス手順である場合に設定される値である、
請求項７に記載の端末装置。
【請求項９】
基地局装置と無線通信を実行する端末装置に用いられる無線通信方法であって、
前記基地局装置に、ランダムアクセスプリアンブルを含む、ランダムアクセス手順を開始するための第１メッセージを送信するステップと、
前記基地局装置から前記第１メッセージに対するランダムアクセスレスポンスを含む第２メッセージを受信するステップと、
前記第１メッセージを送信する際に、第一のデータのサイズが所定値よりも大きいという第一の条件、および、パスロス値が所定値よりも小さいという第二の条件の少なくとも一つの条件に基づいて複数のランダムアクセスプリアンブルグループの中から一のランダムアクセスプリアンブルグループを選択するステップと、
前記第一の条件、および、前記第二の条件を満たす場合、第一のランダムアクセスプリアンブルグループを選択するステップと、
前記第一の条件、または、前記第二の条件を満たさない場合、第二のランダムアクセスプリアンブルグループを選択するステップと、
第二のデータのサイズがゼロであるという第三の条件を満たす場合、前記第１メッセージは、当該第二のデータのサイズがゼロであることを示す情報を含むステップと、を含む、
無線通信方法。
【請求項１０】
端末装置と無線通信を実行する基地局装置であって、
前記端末装置から、ランダムアクセスプリアンブルを含む、ランダムアクセス手順を開始するための第１メッセージを受信し、
前記端末装置からの前記第１メッセージに対するランダムアクセスレスポンスを含む第２メッセージを送信し、
複数のランダムアクセスプリアンブルグループの中から一のランダムアクセスプリアンブルグループを前記端末装置に選択させるために、第一の条件、および、第二の条件を示す情報を前記端末装置に送信し、
前記端末装置において、
第一のデータのサイズが所定値よりも大きいという前記第一の条件、および、パスロス値が所定値よりも小さいという前記第二の条件を満たす場合、第一のランダムアクセスプリアンブルグループが選択され、
前記第一の条件、または、前記第二の条件を満たさない場合、第二のランダムアクセスプリアンブルグループが選択され、
第二のデータのサイズがゼロであるという第三の条件を満たす場合、当該第二のデータのサイズがゼロであることを示す情報を前記第１メッセージから判断する、
基地局装置。
【請求項１１】
端末装置と無線通信を実行する基地局装置に用いられる無線通信方法であって、
前記端末装置から、ランダムアクセスプリアンブルを含む、ランダムアクセス手順を開始するための第１メッセージを受信するステップと、
前記端末装置からの前記第１メッセージに対するランダムアクセスレスポンスを含む第２メッセージを送信するステップと、
複数のランダムアクセスプリアンブルグループの中から一のランダムアクセスプリアンブルグループを前記端末装置に選択させるために、第一の条件、および、第二の条件を示す情報を前記端末装置に送信するステップと、を含み、
前記端末装置において、
第一のデータのサイズが所定値よりも大きいという前記第一の条件、および、パスロス値が所定値よりも小さいという前記第二の条件を満たす場合、第一のランダムアクセスプリアンブルグループが選択され、
前記第一の条件、または、前記第二の条件を満たさない場合、第二のランダムアクセスプリアンブルグループが選択され、
第二のデータのサイズがゼロであるという第三の条件を満たす場合、当該第二のデータのサイズがゼロであることを示す情報を前記第１メッセージから判断する、
無線通信方法。
【国際調査報告】
2020157994.tif 000017
2020157994.tif 000018
2020157994.tif 000019
2020157994.tif 000020